(57)【要約】  【課題】北半球・南半球を問わず世界中の現在の時刻を一目瞭然と容易に知ることができる便利なダブル24時間時計を安価に実現する。  【解決手段】24時間時計としての目盛２・２’を付した文字盤と、時を表す単針１・１’又は24針若しくは24針に相当する表示を付した24時間回転体を有したダブル24時間時計であって、表裏両面及び／又は同一面に一対の前記時計を有していて、表側の時計と裏側の時計及び／又は片方の時計と他方の時計とが異なる半球若しくは同じ半球の場合は互いに異なる針構成であることを特徴とするダブル24時間時計である。表側と裏側の針が互いに逆回転する構成の場合は、表側の回転体の軸と裏側の回転体の軸が共用されるので、片方は駆動源が不要はなり、安価に実現できる。【選択図】図１
2012141228.tif 000002
【特許請求の範囲】
【請求項１】
24時間時計としての目盛を付した文字盤と、時を表す単針又は24針若しくは24針に相当する表示を付した24時間回転体を有したダブル24時間時計であって、
表裏両面及び／又は同一面に一対の前記時計を有していて、表側の時計と裏側の時計及び／又は片方の時計と他方の時計とが異なる半球若しくは同じ半球の場合は互いに異なる針構成であることを特徴とするダブル24時間時計。
【請求項２】
表裏両面に前記の24時間時計を備えていて針が互いに逆回転する場合に、表側の回転体の軸と裏側の回転体の軸が共用されていることを特徴とする請求項１に記載のダブル24時間時計。
【請求項３】
前記の表裏両面及び／又は一対の時計は、片方のみに駆動源を有し、他方は前記の駆動源を持たずに歯車やタイミングベルトやチェーンを介して前記単針又は24針表示を回転させる構成であることを特徴とする請求項１又は請求項２に記載のダブル24時間時計。
【請求項４】
前記単針や24針型の回転体でアナログ表示し、少なくとも分はデジタル表示であることを特徴とする請求項１から請求項３までのいずれかに記載のダブル24時間時計。
【発明の詳細な説明】
【技術分野】
【０００１】
本発明は、表裏又は左右・上下などの一対の24時間時計を別構成とすることによって、地球上の北半球・南半球を問わずすべての国の時刻を一目瞭然と容易に知ることのできるダブル24時間時計に関する。
【背景技術】
【０００２】
特許文献１のように、海外旅行をしたり海外との通信時に相手方の生活リズムを乱さず、通信等するとき、見やすく簡単に相手時間がわかり、確実に連絡が取れる時間帯を知らせてくれる２４時間時計を安価で提供する考案が知られている。
その構成は、２４時間で長針が一回転する時計で時間針を長針にし、分針を短針にし、更に文字板最上部に午後１２時を設け、更に最下部に午前０時を設け、文字板上半分を色分けし日中表示し、更に下半分を色分けし夜間表示とする２４時間時計である。
また、特許文献２のように、国際電話・ＦＡＸを送信する時その相手国の時間・時差・昼夜の状態など世界の全ての地域の状態までを読み取ることが出来る考案が提案されている。その構成は、世界の主要都市名と時差を表示した文字板Ａと２４時間の時刻を表示した文字板Ｂを文字板の中心軸で止め具でもって結合（文字板Ｂを文字板Ａの上にのせる）してお互いに文字板Ａ，Ｂが左右に回転するようにする。文字板Ａには東京（日本）標準時に対する進みを（＋）、遅れを（−）として時差時間を表示しその時差時間に該当する世界の都市名・国旗を表示する。カーソルＣは２枚組み合わせた文字板ＡＢの上から中心軸を起点として回転するように取り付ける。カーソルＣの中央には表・裏側の両面にカーソル読取線（赤色）を線引する。
【先行技術文献】
【特許文献】
【０００３】
【特許文献１】登録実用新案第3035748 号
【特許文献２】登録実用新案第3040160 号
【発明の概要】
【発明が解決しようとする課題】
【０００４】
しかしながら、特許文献１のような24時間時計や特許文献２のような世界時差早見時計は、北半球・南半球を問わず世界中の現在の時刻を一目瞭然と容易に知ることはできず不便である。本発明の技術的課題は、このような問題に着目し、北半球・南半球を問わず世界中の現在の時刻を一目瞭然と容易に知ることができる便利なダブル24時間時計を安価に実現することにある。
【課題を解決するための手段】
【０００５】
請求項１は、24時間時計としての目盛を付した文字盤と、時を表す単針又は24針若しくは24針に相当する表示を付した24時間回転体を有したダブル24時間時計であって、
表裏両面及び／又は同一面に一対の前記時計を有していて、表側の時計と裏側の時計及び／又は片方の時計と他方の時計とが異なる半球若しくは同じ半球の場合は互いに異なる針構成であることを特徴とするダブル24時間時計である。
時を表示する針は単針でも良いが、24針でもよい。あるいは24針に相当する表示でもよい。24針や24針に相当する表示の場合は、円板に表示するのがよい。  そして、表裏両面に前記時計を有していて、その表側の時計と裏側の時計とが異なる半球又は同じ半球を表示する構成である。異なる半球とは、北半球と南半球の事であり、同じ半球とは、北半球のみ又は南半球のみの事である。
【０００６】
請求項２は、表裏両面に前記の24時間時計を備えていて針が互いに逆回転する場合に、表側の回転体の軸と裏側の回転体の軸が共用されていることを特徴とする請求項１に記載のダブル24時間時計である。
すなわち、表裏の片方は駆動源を要しない構成である。
【０００７】
請求項３は、前記の表裏両面及び／又は一対の時計は、片方のみに駆動源を有し、他方は前記の駆動源を持たずに歯車やタイミングベルトやチェーンを介して前記単針又は24針表示を回転させる構成であることを特徴とする請求項１又は請求項２に記載のダブル24時間時計である。一つの歯車を介在させると逆回転が可能となり、タイミングベルトやチェーンを介在させると同じ回転となる。
【０００８】
請求項４は、前記単針や24針型の回転体でアナログ表示し、少なくとも分はデジタル表示であることを特徴とする請求項１から請求項３までのいずれかに記載の24時間時計である。従って、アナログ表示とデジタル表示を併用することになる。
【発明の効果】
【０００９】
請求項１のように、表裏両面や左右・上下などの同一面に一対の異なる24時間時計を有し、しかも北半球と南半球の時刻を表示する場合は、表裏を反転させる操作のみで、或いは同一面の一対の24時間時計を見比べるだけで、地球全体の時刻を知ることができる。また、北半球のみ又は南半球のみを表示する場合は、片方を単針とし、他方は24針若しくは24針に相当する表示を設けることができるので、一目瞭然と容易に地球全体の時刻を知ることができる。
【００１０】
請求項２のように、表側と裏側の針が互いに逆回転する構成の場合は、表側の回転体の軸と裏側の回転体の軸が共用されるので、片方は駆動源が不要となり、安価に実現できる。
【００１１】
請求項３のように、片方のみに駆動源を設け、他方は前記の駆動源を持たず歯車やタイミングベルトやチェーンを介して前記単針又は24針表示を作動させるので、時計が互いに異なる半球を表示する場合も、また同じ半球を表示する場合も、駆動源は単一で足り、安価に実現できる。
【００１２】
請求項４のように、前記単針や24針型の回転体でアナログ表示し、分はデジタル表示であるため、単針や24針型の文字盤の表示が簡素になる。特許文献１、２のように分針や秒針を併用するので、２４時間表示が複雑に見えて慣れにくくさせている。よって、普及しにくいものにしているが、本発明のように、簡素化すると見やすくなる。
なお、２４時間表示に慣れた頃に、新商品として、分針や秒針も併用させたものを出していけば楽しいと考える。
【図面の簡単な説明】
【００１３】
【図１】単針型の表裏時計の実施形態を示す正面図と背面図である。
【図２】24針型の表裏時計の実施形態を示す正面図と背面図である。
【図３】単針型のみ又は24針型のみを備えた左右型時計の実施形態を示す正面図である。
【図４】単針型と24針型の両方を備えた左右型時計の実施形態を示す正面図である。
【発明を実施するための形態】
【００１４】
次に本発明によるダブル24時間時計が実際上どのように具体化されるか実施形態を詳述する。図１、図２は表裏型の実施形態を示す正面図と背面図、図３以下は左右型の実施形態を示す正面図である。先ず、図１に示す単針型を説明する。
単針型とは、24時間時計を見たり使用したりする人（顔で表示）を単針１、１’に見立てた実施形態で、文字盤２、２’に表示してある文字が地球の経度に相当する時刻を表示している。そして、文字盤２を北半球に、単針１を北半球に居る人物に見立て、文字盤２’を南半球に、単針１’を南半球に居る人物に見立てている。
【００１５】
普通、昼の１２時に太陽が真上に位置しているので、上に１２時を配置すると共に太陽Ｓを表示してある。真下に０時を配置して、０時と１２時との間を１２等分に分割してある。
正面から見た状態を示す図１(1) は、北半球を北極から見た状態を表しているので、中心３に北半球や北極を示すと共に、南半球に居る人を示す単針１が左回転することを矢印で示している。従って、文字盤２の表示は、左周りに０時から２４時まで等分割されている。
裏面から見た状態を示す図１(2) は、南半球を南極から見た状態を表しているので、中心３に南半球や南極を示すと共に、南半球に居る人を示す単針１’が右回転することを矢印で示している。従って、文字盤２の表示は、右周りに０時から２４時まで等分割されている。
【００１６】
単針１、１’のこのような動きは、独立した駆動源を設けて、独立に駆動することも可能ではあるが、図示実施形態では、どちらか片方、例えば北半球側に駆動源を設け、その単針１の回転軸と、南半球を示す裏側の文字盤を指す単針１’の回転軸とを共通にして、南半球側の駆動源を省くのがよい。
いま、このような構成において、図１(1) のように、北半球がほぼ１５時３０分だとすると、図１(2) のように、南半球でもほぼ１５時３０分を示す。正確には、各図の下側に示すように、デジタル時計を見れば１５時２９分３０秒であることが分かる。
なお、地球（の自転）と太陽の関係を強調することによってアナログの特徴も強調される。それにより地球を生命体と認識することもでき、環境問題に対する新たな取り組みも生じる。
【００１７】
前記のような単針型の時計では、単針と南北両半球や太陽との関係は分かるが、地球全体の様子を知ることはできない。そこで、図２のように、24針型を発明した。この24針型の表現は、針のように尖った状態を示すために、実際に24個の針が放射状に尖った円板４を形成してもよいし、24個の針が放射状に尖った図を描いた円板を設けてもよい。要するに、24針に相当する表示を有しておれば足りる。
そして、24の経度を示す主な国を表示するために、図２のように、尖った針より内側の円板にその国の国旗を図示してある。なお、尖った針の上に国旗を表示してもよい。国旗に代えて国名やその略号などを記載してもよい。
【００１８】
このように、単針に代えて24の針を備えた24針型の表裏時計を使用する場合は、日本人である私（使用者）や経度が同じ韓国が１２時３０分（昼の）だとすると、地球の丁度反対側のブラジルでは午前０時３０分であることが分かる。
いま、北半球を示す図２（１）において、ロンドンが３時３０分（午前）の場合は、地球の丁度反対側のニュージーランドのオークランドでは１５時３０分であることが分かる。
南半球を示す図２（２）であれば、図１（２）の場合は全く同様に右周りであるから、ロンドンが３時３０分（午前）の場合は、地球の丁度反対側のニュージーランドのオークランドでは１５時３０分であることが分かる。
図２の場合も24針円板が表裏で逆回転するので、回転軸は共用できる。
【００１９】
なお、右まわりの２４針で国名を記入した際、日本の左側に中国がきたことから疑問を感じ、南極側から見た国（経度）の関係だと気づいた。
しかし、南極側から見た国の位置だから右まわりでよいことになる。
ただし左まわりの時間表現が心身にしっくりいく人もいるので、その人々の役にたてればよいと思う。ダブルのうち、好きな方すなわちしっくりいく方を見ればよりと考える。
【００２０】
図３(1) は、図１で表裏に配置している単針型に代えて、左右に配置した構成の例である。図において左側が北半球を表現し、右側は南半球を表現している。従って、一目で北半球側と南半球側との違いを比較できる利点がある。
図３(2) は、図２で表裏に配置している24針型に代えて左右に配置した構成の例である。図において左側が北半球を表現し、右側は南半球を表現しているので、一目で北半球側と南半球側との違いを比較できる利点がある。
【００２１】
図３では、図３(1) は左右ともに単針型であり、図３(2) は左右ともに24針型である。これに対し、図４では左右型ではあるが、図４の(1) 図は左側は単針型で右側は24針型である。しかも両方共に南半球を示している。
図４の(2) 図も左側は単針型で右側は24針型であるが、両方共に北半球を示している。従って、一対のうち片方と他方とは南半球と北半球との違いがあり、また一対のうち片方と他方とは単針型と24針型との違いある。
図３以下のような左右型の場合も、左右それぞれに駆動源を設ける必要は無く、片方だけに駆動源を設け、歯車やタイミングベルトやチェーンを介在させれば、他方も駆動できる。すなわち、同じ方向に駆動する必要がある場合はタイミングベルトやチェーンを介在させればよいし、逆回転させたい場合は歯車を介在させればよい。
なお、歯車やタイミングベルトやチェーンを介在させる場合は、それぞれの回転軸同士の間や回転軸の駆動体同士の間に介在させるのがよい。
【００２２】
図３、図４は左右に配置した例であるが、上下や斜めに一対の異なる24時間時計を配置してもよく、同一面に配置する方向は自由である。
また、同一面では足りない場合は、表裏両面を併用してもよい。すなわち、図１、図２の表裏型と図３、図４の同一面型を併用すると、より多くの構成の異なる24時間時計を配置することができる。
図１、図２の実施形態は表裏であるから０度と120 度に限られ、図３、図４の実施形態は同一面であるから０度に限られるが、ダブル24時間時計の片方・他方とも、これら以外の任意の角度に配置してもよい。
【産業上の利用可能性】
【００２３】
以上のように、表裏両側や左右両側に一対の北半球と南半球を別々に設けたり、表裏両側や左右両側に単針型と24針型を設けたりすると共に片方のみ駆動源を設け他方は軸を共用したり歯車やタイミングベルトやチェーンを介在させることで他方の駆動源を省略できるので、安価に24時間時計を実現でき、子どもたちの教材や国際的なビジネス分野にも利用できるし、時計業界の活性化にも貢献できる。
【符号の説明】
【００２４】
１・１’  単針（人）
２・２’  文字盤
Ｓ  太陽の表示
３  中心（地球）
４  24針に相当する表示を有する円板（地球拡大版）
【図１】
2012141228.tif 000003
【図２】
2012141228.tif 000004
【図３】
2012141228.tif 000005
【図４】
2012141228.tif 000006